(57)【要約】      （修正有）【課題】圧着端子をコネクタハウジングに位置固定した際に、固定のガタをなくすようにしてコンタクト部の接続を安定させる。【解決手段】圧着端子３における断面コ字型の側壁面に係止用の突起が外側に向けて突設され、コネクタハウジング４に、前記圧着端子に接続ケーブルを直列的に接続する長手方向に対して直交する方向において、前記圧着端子の突起３ｂが挿入されて係合し係止する係止部４ａが設けられるとともに、前記コネクタハウジングのコネクタ本体４ｂとヒンジ４ｃを介して設けられる蓋部材であって前記圧着端子が前記コネクタハウジングに装着された後に当該圧着端子が前記長手方向に直交する方向に抜け出さないように前記ヒンジで回動して閉蓋してロックされる脱着防止蓋４ｄが設けられている電気コネクタ１とする。【選択図】図１
2009272155.tif 000002
【特許請求の範囲】
【請求項１】
接続ケーブルと電気的に接続される圧着端子と、
該圧着端子を位置決めして固定するコネクタハウジングとでなる電気コネクタであって、
前記圧着端子における断面コ字型の側壁面に係止用の突起が外側に向けて突設され、
前記コネクタハウジングに、前記圧着端子に接続ケーブルを直列的に接続する長手方向に対して直交する方向において、前記圧着端子の突起が挿入されて係合し係止する係止部が設けられるとともに、
前記コネクタハウジングのコネクタ本体とヒンジを介して設けられる蓋部材であって前記圧着端子が前記コネクタハウジングに装着された後に当該圧着端子が前記長手方向に直交する方向に抜け出さないように前記ヒンジで回動して閉蓋してロックされる脱着防止蓋が設けられていること、
を特徴とする電気コネクタ。
【発明の詳細な説明】
【技術分野】
【０００１】
本発明は、圧着端子と該圧着端子を挿着して固定するコネクタハウジングとからなる電気コネクタに関するものである。
【背景技術】
【０００２】
従来、接続ケーブルを圧着端子にかしめて接続し、この圧着端子をコネクタハウジングに挿着するには、例えば、図２に示すように、圧着端子２１にケーブル２２を装着して、かしめ部２３でかしめて電気的に接続し、固定する。そして、この圧着端子２１を、合成樹脂製のコネクタハウジング２４の一端側開口部から挿入する。
【０００３】
その後、前記コネクタハウジング２４のバネ性を有したモールドランス２４ａの部分で、前記圧着端子２１の長手方向の途中にそれと直交する方向に設けてある突起２５が乗り越えて係止され、圧着端子２１が戻らないようにロックされる。このように、圧着端子２１の挿入方向に沿って、モールドランスがあって、抜止め防止手段でないようになっている。
【０００４】
また、図３に示すように、圧着端子２６に弾性を有したコンタクトランス２６ａが設けてある。この圧着端子２６がケーブル２２を接続固定した後、コネクタハウジング２７にその一端開口部から挿入されると、前記コネクタハウジング２７の長手方向の途中の内側に段部２７ａが設けられているので、ここに前記コンタクトランス２６ａの先端部が落ち込んで引っかかる。こうして、挿入方向と反対側に抜け出さないようにされている。このような従来の電気コネクタとして、図４又は図５に示す構造のコンタクトランス２８ａ，２９ａが知られており、更に、公知文献として特許文献１に記載のコネクタが知られている。
【特許文献１】特開２００６−２２１８１９号公報
【発明の開示】
【発明が解決しようとする課題】
【０００５】
しかし、従来の電気コネクタにおいては、圧着端子２１若しくは圧着端子２６の挿入方向に沿ってランスが設けられているので、抜けだしを防止するものの、そのランスの先端面と係止部の端面との間に若干の隙間があり、その分、挿入方向におけるガタとなる。また、圧着端子を繰り返して使用することで、次第にランスと係止部との係止作用が甘くなり、圧着端子を強く挿入方向と逆方向に引っ張ると、抜けてしまうこともある。本発明に係る電気コネクタは、このような課題を解決するために提案されたものである。
【課題を解決するための手段】
【０００６】
本発明に係る電気コネクタの上記課題を解決して目的を達成するための要旨は、接続ケーブルと電気的に接続される圧着端子と、該圧着端子を位置決めして固定するコネクタハウジングとでなる電気コネクタであって、前記圧着端子における断面コ字型の側壁面に係止用の突起が外側に向けて突設され、前記コネクタハウジングに、前記圧着端子に接続ケーブルを直列的に接続する長手方向に対して直交する方向において、前記圧着端子の突起が挿入されて係合し係止する係止部が設けられるとともに、前記コネクタハウジングのコネクタ本体とヒンジを介して設けられる蓋部材であって前記圧着端子が前記コネクタハウジングに装着された後に当該圧着端子が前記長手方向に直交する方向に抜け出さないように前記ヒンジで回動して閉蓋してロックされる脱着防止蓋が設けられていることである。
【発明の効果】
【０００７】
本発明の電気コネクタによれば、圧着端子が接続ケーブルによる引き抜き方向に対して直交する方向にコネクタハウジングの嵌合部に挿入され嵌合されているので、前記接続ケーブルの長手方向に当該圧着端子が引き抜かれるおそれがない。そして、コネクタハウジングに装着された圧着端子の位置固定のガタが前記長手方向において無くなり、圧着端子のコンタクト部の接触が安定する。
【発明を実施するための最良の形態】
【０００８】
本発明に係る電気コネクタ１は、図１（Ａ），（Ｂ）に示すように、接続ケーブル２電気的に接続される圧着端子３と、該圧着端子３を位置決めして固定する、合成樹脂製のコネクタハウジング４とでなる。
【０００９】
前記電気コネクタ１は、図１（Ｂ）に示すように、前記圧着端子３における断面コ字型の側壁面３ａに係止用の突起３ｂが外側に向けて突設されている。
そして、前記コネクタハウジング４に、前記圧着端子３に接続ケーブル２を直列的に接続する長手方向ａに対して直交する方向ｂにおいて、前記圧着端子３の突起３ｂが挿入されて係合し係止する係止部４ａが設けられている。
【００１０】
更に、前記コネクタハウジング４のコネクタ本体４ｂとヒンジ４ｃを介して設けられる蓋部材であって、前記圧着端子３が前記コネクタハウジング４に装着された後に当該圧着端子３が前記長手方向ａに直交する方向ｂに抜け出さないように、前記ヒンジ４ｃで回動して閉蓋してロックされる脱着防止蓋４ｄが設けられている。
【００１１】
前記脱着防止蓋４ｄは、その先端部が回動して、コネクタ本体４ｂの後端部に立設したロック部４ｅに係止してロックされるものである。この脱着防止蓋４ｄがロックされ閉蓋されることで、前記圧着端子３が、前記直交方向ｂへの抜け出しが防止される。
【００１２】
前記圧着端子３は、接続しているケーブル２によって、そのケーブル２の長手方向ａに引っ張られても、装着された状態では係止部４ａに突起部３ｂが係止されているので、抜け出すことがない。前記突起部３ｂは、側壁面３ａの外側に広がろうとする弾性力により確実に係止される。
このようにして、電気コネクタ１は、接続ケーブル２を接続した圧着端子３を、引っ張られる方向（長手方向ａ）に対して直交する方向ｂに位置決めして固定しているので、挿着状態において長手方向ａ及び直交する方向ｂともにガタがなく、圧着端子３のコンタクト部３ｃの接触位置が安定する。
【図面の簡単な説明】
【００１３】
【図１】本発明に係る電気コネクタ１の縦断面図（Ａ）、Ｘ−Ｘ先に沿った断面図（Ｂ）である。
【図２】従来例に係る電気コネクタで、モールドランスの場合の嵌合する様子を示す説明図である。
【図３】従来例に係る電気コネクタで、コンタクトランスの場合の嵌合する様子を示す説明図である。
【図４】同従来例に係る電気コネクタの例を示す説明図（Ａ）と、断面図（Ｂ）とである。
【図５】同従来例に係る電気コネクタの例を示す説明図（Ａ）と、断面図（Ｂ）とである。
【符号の説明】
【００１４】
１          電気コネクタ、
２          接続ケーブル、
３          圧着端子、                      ３ａ          側壁面、
３ｂ        突起、                          ３ｃ          コンタクト部、
４          コネクタハウジング、            ４ａ          係止部、
４ｂ        コネクタ本体、                  ４ｃ          ヒンジ、
４ｄ        脱着防止蓋、                    ４ｅ          ロック部、
２１        圧着端子、
２２        ケーブル、
２３        かしめ部、
２４        コネクタハウジング、                ２４ａ      モールドランス、
２５        突起、
２６        圧着端子、                          ２６ａ      コンタクトランス、
２７        コネクタハウジング、                ２７ａ      段部、  
２８ａ      コンタクトランス、
２９ａ      コンタクトランス。
【図１】
2009272155.tif 000003
【図２】
2009272155.tif 000004
【図３】
2009272155.tif 000005
【図４】
2009272155.tif 000006
【図５】
2009272155.tif 000007